(57)【特許請求の範囲】
【請求項１】
テレビカメラの撮像画面をモニタするためのビューファインダであって、
前記テレビカメラから得られた輝度信号，Ｒ信号，Ｇ信号，Ｂ信号のいずれか一つを、切り替えスイッチの操作により選択する選択手段と、
前記選択手段により選択された信号を入力して輪郭補正信号を出力する輪郭強調成分検出手段と、
前記テレビカメラから得られた輝度信号と前記輪郭補正信号とを混合する混合手段と、
前記混合手段からの映像出力を白黒表示する表示手段とを備え、
前記切り替えスイッチの操作により、希望とする色成分または輝度成分に基づいて輪郭強調を施した画面を表示することを特徴とするテレビカメラのビューファインダ。
【請求項２】
テレビカメラの撮像画面をモニタするためのビューファインダであって、
前記テレビカメラから得られた輝度信号，Ｒ信号，Ｇ信号，Ｂ信号のいずれか一つを、切り替えスイッチの操作により選択する選択手段と、
前記選択手段により選択された信号を入力して輪郭補正信号を出力する輪郭強調成分検出手段と、
前記テレビカメラから得られたＲ信号，Ｇ信号，Ｂ信号のそれぞれと前記輪郭補正信号とを混合する混合手段と、
前記混合手段からの映像出力をカラー表示する表示手段とを備え、
前記切り替えスイッチの操作により、希望とする色成分または輝度成分に基づいて輪郭強調を施した画面を表示することを特徴とするテレビカメラのビューファインダ。
【請求項３】
請求項１または請求項２のいずれかにおいて、
前記選択手段は、前記テレビカメラから得られたＢ信号を除く、輝度信号，Ｒ信号，Ｇ信号のいずれか一つを選択することを特徴とするテレビカメラのビューファインダ。
【請求項４】
請求項１または請求項２のいずれかにおいて、さらに加えて、
前記テレビカメラから得られたＧ信号とＲ信号とを混合してＧ＋Ｒ信号を出力する手段を備え、
前記選択手段は、前記テレビカメラから得られた輝度信号，Ｒ信号，Ｇ信号，Ｂ信号，前記Ｇ＋Ｒ信号のいずれか一つを選択することを特徴とするテレビカメラのビューファインダ。
【発明の詳細な説明】
【０００１】
【発明の属する技術分野】
本発明は、テレビカメラの撮像画面をモニタするためのビューファインダに関するものである。
【０００２】
更に詳述すると、本発明は、テレビカメラの撮像画面をモニタする際に、モノクロム表示器あるいはカラー表示器のいずれを用いた場合にも適用可能なビューファインダに関するものである。
【０００３】
【従来の技術】
従来から、テレビカメラのフォーカシング操作を容易にするために、被写体像を輪郭強調した後にビューファインダに表示させることが行われている。この輪郭強調のための処理は、テレビカメラのＲ・Ｇ・Ｂ信号から合成される輝度信号Ｙに基づいてなされるのが通常である。
【０００４】
【発明が解決しようとする課題】
従来の如く、輝度信号を基に輪郭強調をする場合には、輝度信号Ｙが本来的にＲ・Ｇ・Ｂ信号成分の全てを含んでいることから、当然のことながら、全ての絵柄に輪郭強調を施すことになる。
【０００５】
また、ズームレンズを用いて正確に焦点を合わせようとする場合、通常は、被写体像をテレ側に一杯に拡大してから（すなわち、最も鮮明に見える位置にセットしてから）焦点を固定した後、所望のサイズまでズーム比を戻している。この場合、ビューファインダ上の映像に輪郭強調がなされていると、より焦点を合わせることが容易になる。
【０００６】
しかしながら、短焦点のレンズを用いる場合、あるいは、オンエア中（放送中）にズーム比を短焦点側から動かすことができないような場合には、比較的前面に焦点が合ってしまうので、写り込んでいる絵柄全部に輪郭強調がなされることになる。その結果、カメラマンが目的とする被写体以外の物体にも輪郭強調がなされてしまい、所望とする被写体に焦点を合わせるのが困難な場合がある。
【０００７】
よって、本発明の第１の目的は、被写体の撮像状況に応じ、常に適切な輪郭強調を可能にして迅速なフォーカシング操作を容易ならしめた、テレビカメラのビューファインダを提供することにある。
【０００８】
また、輝度信号Ｙが本来的にＲ・Ｇ・Ｂ信号成分の全てを含んでいることから、輪郭補正量（ピーキング量）の増加に伴なって、画面のＲ・Ｇ・Ｂのエッジ成分（輪郭成分）全てにエッジ（輪郭）が付加され、その輪郭部分の信号レベルが高くなる。その結果、その部分の信号レベルが高くなることにより電源負荷が増大することに起因して、部分的に且つ瞬時的に、ＣＲＴに印加されている高圧電位の低下を引き起こし、ＣＲＴのビーム径が太くなる現象（いわゆるブルーミング現象）を招来するという不都合が生じてしまう。
【０００９】
よって、本発明の第２の目的は、上記のブルーミング現象を招来することがない、テレビカメラのビューファインダを提供することにある。
【００１０】
【課題を解決するための手段】
上記に目的を達成するために、本発明は、テレビカメラの撮像画面をモニタするためのビューファインダであって、前記テレビカメラから得られた輝度信号，Ｒ信号，Ｇ信号，Ｂ信号のいずれか一つを、切り替えスイッチの操作により選択する選択手段と、前記選択手段により選択された信号を入力して輪郭補正信号を出力する輪郭強調成分検出手段と、前記テレビカメラから得られた輝度信号と前記輪郭補正信号とを混合する混合手段と、前記混合手段からの映像出力を白黒表示する表示手段とを備え、前記切り替えスイッチの操作により、希望とする色成分または輝度成分に基づいて輪郭強調を施した画面を表示するものである。
【００１１】
その他の本発明は、テレビカメラの撮像画面をモニタするためのビューファインダであって、前記テレビカメラから得られた輝度信号，Ｒ信号，Ｇ信号，Ｂ信号のいずれか一つを、切り替えスイッチの操作により選択する選択手段と、前記選択手段により選択された信号を入力して輪郭補正信号を出力する輪郭強調成分検出手段と、前記テレビカメラから得られたＲ信号，Ｇ信号，Ｂ信号のそれぞれと前記輪郭補正信号とを混合する混合手段と、前記混合手段からの映像出力をカラー表示する表示手段とを備え、前記切り替えスイッチの操作により、希望とする色成分または輝度成分に基づいて輪郭強調を施した画面を表示するものである。
【００１２】
ここで、上述した前記選択手段は、前記テレビカメラから得られたＢ信号を除く、輝度信号，Ｒ信号，Ｇ信号のいずれか一つを選択する構成とすることも可能である。また、さらに加えて、前記テレビカメラから得られたＧ信号とＲ信号とを混合してＧ＋Ｒ信号を出力する手段を備え、前記選択手段は、前記テレビカメラから得られた輝度信号，Ｒ信号，Ｇ信号，Ｂ信号，前記Ｇ＋Ｒ信号のいずれか一つを選択するよう構成することも可能である。
【００１３】
【発明の実施の形態】
実施の形態１
図１は、本発明を適用した白黒ビューファインダのブロック構成図である。本図において、２は、被写体像のＲ・Ｇ・Ｂ信号を出力するＣＣＤ撮像素子である。３はビデオ信号処理回路であって、ＣＣＤ撮像素子２からの出力信号を入力してサンプル／ホールド処理・低域濾波処理等を施すことにより連続信号に変換し、ガンマ補正・ペデスタル調整等を行う。４はマトリクス回路であって、ビデオ信号処理回路３から出力されたＲ・Ｇ・Ｂ信号を入力して、輝度信号Ｙを形成する。ＳＷは、ビデオ信号処理回路３から出力されたＲ・Ｇ・Ｂ信号、あるいは、マトリクス回路４から出力された輝度信号Ｙから一つの信号を選択するための切り替えスイッチである。６は輪郭強調成分検出回路であって、図２に示す回路構成を有する。８は混合回路であって、マトリクス回路４から出力された輝度信号Ｙと、輪郭強調成分検出回路６から出力された輪郭補正信号（エッジ強調成分）を加算して、輪郭強調済みの輝度信号Ｙ’を出力する。１０はＣＲＴ駆動回路であって、後段のモノクロムＣＲＴ１２に映像を表示させるために、信号の電力増幅等を行う。
【００１４】
なお、ビデオ信号処理回路３からの出力信号は、ビデオカメラの出力とされたり、あるいはエンコーダ（図示せず）を経て複合（コンポジット）映像信号として外部に出力されるが、本明細書では、この部分の説明は省略する。
【００１５】
図２は、輪郭強調成分検出回路６および混合回路８の構成を詳細に示した回路図である。本図において、２０Ａないし２０Ｃは、予め定めた遅延時間（図３では、ＡＤとして示してある：ハイビジョンの場合には、３０〜５０ナノ秒に設定する）を有する遅延回路である。２２および２３はミキサ回路、２４は入力電圧を−２倍する増幅回路、２５は入力電圧を−１倍する増幅回路である。また、本図中の（ａ）〜（ｆ）は、図３に例示するような電圧波形を有する映像信号である。ここで、（ａ）は切り替えスイッチＳＷによって選択されたＲ・Ｇ・Ｂ信号あるいは輝度信号Ｙのいずれかであり、（ｆ）は最終的に得られた輪郭補正信号（エッジ強調成分）である。
【００１６】
その結果として、図３に例示したような、輪郭強調済みの輝度信号Ｙ’が得られる。
【００１７】
図４は、図１に示した白黒ビューファインダにおいて、Ｒ信号を輪郭強調成分検出回路６に入力した場合のモニタ画面を例示したものである。この場合には、テレビカメラから出力されたＲ信号に基づいて輪郭強調処理がなされるので、図４中の赤い洋服の輪郭のみが強調され、青色の自動車と、緑色の背景には何の影響も出ない。他方、カメラマンが青色の自動車に焦点を合わせたい場合には、切り替えスイッチＳＷをＢ信号側に切り替えることにより、自動車のエッジ成分のみを強調して表示させることが可能になる。
【００１８】
また、被写体の色が赤・緑・青の混色である場合にも、切り替えスイッチＳＷを適宜Ｒ・Ｇ・ＢまたはＹ側に切り替えて最も適切な信号（フォーカスを合わせ易い信号）による輪郭補正を行うことにより、フォーカス調整を容易に行うことが可能となる。
【００１９】
かくして、カメラマン自身による選択により、希望とする色成分あるいは輝度成分に基づいた輪郭強調が可能となるので、モノクロム表示器を用いたビューファインダにあっても、常に適切な輪郭強調を行うことにより、迅速なフォーカシング操作を容易ならしめることができる。
【００２０】
実施の形態２
図１に示した白黒ビューファインダでは、切り替えスイッチＳＷを用いてテレビカメラから得られた輝度信号，Ｒ信号，Ｇ信号，Ｂ信号のいずれか一つを選択することとしているが、Ｂ信号を除いて、輝度信号，Ｒ信号，Ｇ信号のいずれか一つを選択するよう構成することも可能である。その理由は、Ｂ信号は一般的にノイズ成分を多く含んでおり、また、輝度信号中には通常Ｂ信号成分が含まれているので輝度信号を輪郭強調するのと大差ない、からである。
【００２１】
実施の形態３
図１に示した切り替えスイッチＳＷの前段に、Ｒ＋Ｇ信号および／またはＧ＋Ｂ信号および／またはＲ＋Ｂ信号を出力するミキサ回路を備え（図示せず）、切り替えスイッチＳＷにより、輝度信号Ｙ，Ｒ信号，Ｇ信号，Ｂ信号，上記Ｒ＋Ｇ信号および／またはＧ＋Ｂ信号および／またはＲ＋Ｂ信号のいずれか一つを選択するよう構成することも可能である。
【００２２】
実施の形態４
図５は、本発明を適用したカラービューファインダの回路構成図である。本図において、図１と同様の要素には同一の符号を付して、説明を省略する。
【００２３】
なお、本実施の形態において追加してあるミキサ回路５０は、Ｒ信号とＧ信号とを混合してＲ＋Ｇ信号を出力する回路であって、上記実施の形態３に相当する。したがって、このミキサ回路５０を除去することも可能である。
【００２４】
本実施の形態において、５１〜５３は輪郭補正信号（ｆ）とＲ，Ｇ，Ｂ信号のタイミングを合わせるための遅延回路、５５〜５７はＲ，Ｇ，Ｂ信号のそれぞれに同比率で輪郭強調を施すためのミキサ回路である。この３つのミキサ回路５５〜５７全てに対して輪郭補正信号（ｆ）を印加する理由は、エッジ成分を白色にするためである。ちなみに、ある特定の色信号についてのみ輪郭強調をした場合には、エッジ成分の色が変わってしまうことになる。
【００２５】
図５に示したカラービューファインダによれば、カラーＣＲＴ５９の解像度をモノクロムＣＲＴほど上げられないとしても、輪郭補正する色成分をカメラマンが選択することにより、それぞれのカラーシーン毎に最適な輪郭強調をすることが可能となるので、正確なフォーカシング操作を迅速に実行することができる。
【００２６】
実施の形態５
図５に示したカラービューファインダでは、切り替えスイッチＳＷを用いてテレビカメラから得られた輝度信号，Ｒ信号，Ｇ信号，Ｂ信号，Ｒ＋Ｇ信号のいずれか一つを選択することとしているが、Ｂ信号およびＲ＋Ｇ信号を除いて、輝度信号，Ｒ信号，Ｇ信号のいずれか一つを選択するよう構成することも可能である。その理由は、実施の形態２でも述べたように、Ｂ信号は一般的にノイズ成分を多く含んでおり、また、輝度信号中には通常Ｂ信号成分が含まれているので輝度信号を輪郭強調するのと大差ない、からである。
【００２７】
実施の形態６
図５に示した切り替えスイッチＳＷの前段に、Ｇ＋Ｂ信号および／またはＲ＋Ｂ信号を出力するミキサ回路（図示せず）を備え、切り替えスイッチＳＷにより、輝度信号Ｙ，Ｒ信号，Ｇ信号，Ｂ信号，上記Ｒ＋Ｇ信号および／またはＧ＋Ｂ信号および／またはＲ＋Ｂ信号のいずれか一つを選択するよう構成することも可能である。
【００２８】
【発明の効果】
以上説明した通り、本発明によれば、被写体の撮像状況に応じ、常に適切な輪郭強調を可能にして迅速なフォーカシング操作を容易ならしめることができる。すなわち、被写体の色彩によって映像信号のＲ・Ｇ・Ｂ信号成分が異なることから、このＲ・Ｇ・Ｂ信号成分から作成される各輪郭強調信号のレベルも異なってくるので、このレベルの相違を利用して目的とする被写体の輪郭信号と、目的以外の被写体の輪郭信号とを区別することにより、焦点調整を容易にすることができる。
【００２９】
さらに、本発明によれば、Ｒ・Ｇ・Ｂ信号成分の全てに対して輪郭強調をしないで済むので、電源に対する負荷の急増を避けることにより、いわゆるブルーミング現象を避けることができる。
【図面の簡単な説明】
【図１】本発明を適用した白黒ビューファインダのブロック構成図である。
【図２】輪郭強調成分検出回路６および混合回路８の構成を詳細に示した回路図である。
【図３】図２に示した各信号波形を示す図である。
【図４】図１に示した白黒ビューファインダによるモニタ画面を例示した図である。
【図５】本発明を適用したカラービューファインダのブロック構成図である。
【符号の説明】
２    ＣＣＤ撮像素子
３    ビデオ信号処理回路
４    マトリクス回路
ＳＷ    切り替えスイッチ
６    輪郭強調成分検出回路
８    混合回路
１０    ＣＲＴ駆動回路
１２    モノクロムＣＲＴ
５０    ミキサ回路
５１，５２，５３    遅延回路
５５，５６，５７    ミキサ回路
５８  ＣＲＴ駆動回路
５９    カラーＣＲＴ
【図１】
0003646915.tif 000002
【図２】
0003646915.tif 000003
【図３】
0003646915.tif 000004
【図４】
0003646915.tif 000005
【図５】
0003646915.tif 000006